(57)【要約】      （修正有）【課題】人類の生存維持に不可欠な食料・環境・資源・エネルギー等の必需材及び人口の推移が管理局によって推計・管理され、目標を設定して計画的に鋭意改善し、その結果を表示体で世界的に表示してデータ収集・分析・蓄積・向上等の方向性を設定し、諸種の打撃・犠性や近未来以降の深刻な破局・危機を抑制し接続的発展へのシステムの可能性追求の一手段を提供する。【解決手段】人類の生存の維持に不可欠な食料・環境・資源・エネルギー等の必需材を現在・近未来以降も推計・管理する電子計算機等の必需管理体と、該必需材を適正に維持するためには如何なる世界人口・各国人口が如何に維持されるべきか現在・近未来以降について推計・管理する人口管理体と、該推計・管理のデータがインターネット等の表示体に表示されてデータ収集・改善・蓄積・向上等の基盤となるべき表示体と、を含む管理局を備える。【選択図】なし【特許請求の範囲】
【請求項１】
人類の生存の維持に不可欠な食料・環境・資源・エネルギー等の必需材を現在・近未来以降も推計・管理する電子計算機等の必需管理体と、該必需材を適正に維持するためには如何なる世界人口・各国人口が如何に維持されるべきか現在・近未来以降について推計・管理する人口管理体と、該推計・管理のデータがインターネット等の表示体に表示されてデータ収集・改善・蓄積・向上等の基盤となるべき表示体と、を含む管理局を備え、近未来以降が諸種の打撃・危機・破局等で止む得ず方向転換を迫られるのでなく現在の中から該管理体の管理によって方向選択して長期的・安定的発展の基盤を図るよう構成された養護システム、を具備したことを特徴とする養護装置。
【請求項２】
前記養護システムは、現在・近未来以降の各時代に於いて世界・各国の人口管理の方向性が設定・管理されなければ早晩前記必需材のいずれかが深刻な打撃・危機・破局に至ると前記管理局で推定される課題推定手段と、近未来以降に憂慮される前記必需材の枯渇等から端を発して人口増加の急ブレーキの必要性等打撃・危機・破局等を事前に回避して解決の方向に向うよう解決具体策が前記表示体に表示され世界が一体的に同方向に鋭意努力すべき解決具体策が表示される解決具体手段と、を具備した養護シを有する請求項１に記載の養護装置。
【請求項３】
前記養護システムは、人口の過大増加の傾向が是正されるよう諸種の解決策が各国毎に略成功した事例と体験とが理解され易く掲載され各種の注意事項も併せてインターネット等の表示体等によって世界共通的に表示される解決表示手段と、該解決事例についての諸種の具体策を各国の実情等に合せて選択するべく今後の方向性や計画について詳細がインターネット等の表示体に表示され・その計画の遂行のデータ等が近未来以降に表示が義務づけられる具体表示手段と、を具備した養護システムを有する請求項１に記載の養護装置。
【請求項４】
前記養護システムは、（世界）管理局・（国）管理部・（県）管理部・（地方）管理部等がインターネット等で組織化された管理システムと、該管理システムを通じて（世界）管理局・対策会議等の最高・議決会議の指令で適正に維持されるよう構成された食料・環境・資源・エネルギー等の前記必需材及び人口と、を具備した養護システムを有する請求項１に記載の養護装置。
【請求項５】
前記養護システムは、人類の生存維持に不可欠な食料・環境・資源・エネルギー等の必需材の諸データを入力して近未来以降が前記必需管理体によって推計される必需管理段階と、該必需材を適正に維持しうるには如何なる世界人口・各国人口が維持されるべきかを近未来以降の各時代について前記人口管理体によって推計し管理する人口管理段階と、を具備した前記養護システムの使用方法を有する請求項１に記載の養護装置の使用方法。
【請求項６】
前記養護システムは、前記必需管理体・人口管理体に現在採取可能な全てのデータ・情報等が入力される入力段階と、該データ・情報を一要素として近未来以後の望ましい状況や必要な数値等が推計・出力される推計段階と、該推計状況がインターネット・テレビ等の表示体によって表示される表示段階と、該表示に従って各分野の各組織・万民が定められた方向に鋭意実行すべき実行段階と、該実行の成果やデータが前記必需管理体・人口管理体等に一定の年月後に入力・分析され前記表示体に表示される分析段階と、該表示に従って現状が更に正しい方向へ改善・向上される改善段階と、を具備した養護システムの使用方法を有する請求項１に記載の養護装置の使用方法。
【請求項７】
前記養護システムは、人口増加の過大増大傾向が諸施策によって是正された成功事例等が施策・問題点等と共にインターネット等の表示体に表示される解決表示段階と、該成功事例の施策・問題点等が各国の実情と比較しつつ各国毎に以後の具体策を設定しインターネット等の表示体に表示して各国の提言等と併せて表示される具体表示段階と、を具備した養護システムの使用方法を有する請求項１に記載の養護装置の使用方法。
【発明の詳細な説明】
【技術分野】  人類の生存維持に不可欠な食料・環境・資源・エネルギー等の必需材及び人口の推移が管理局によって推計・管理され、現状が放置されれば早晩該必需材の悪化が起る事前の現在の中から目標を設定して計画的に鋭意改善し、その結果を表示体で世界的に表示してデータ収集・分析・蓄積・向上等の方向性を設定し、諸種の打撃・犠性や近未来以降の深刻な破局・危機を抑制し接続的発展へのシステムの可能性追求の一手段を図るものである。
【背景技術】  ２０世紀は去り、私達は２１世紀を迎えすでに１０年が過ぎた。ここで２０・２１世紀の時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。資源の枯渇・地球温暖化・廃棄物の増大・日常生活での健康問題・等への危機的傾向が深刻さを増し、いずれも全地球規模の課題となりつつあるからである。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、資源枯渇の問題。地球温暖化の問題という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量は爆発的に増大するに至り、図（ｃ）に示すように石油消費量は年間１０億トンを超すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線���照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊に易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は養護され尽されねばならない。そのためには、環境破壊の原因の排出を繰返した２０・２１世紀の人類の活動の全てが個々の立場に於て検証され、最善の対策が図られるべき必要に迫られてきた。前記したように私達は便利さと、快適さと、物質の豊さと、を手に入れたのと引換えに毎日実に多くの資源やエネルギーを消費している。例えば、我国では１年間に排出される一般廃棄物は約５千万トン（東京ドーム１３８杯分）を越え、産業廃棄物は約４億トン（同１１０４杯分）を越えている。後者では最終処分場があと１．６年で満杯となり以後は廃棄する場所に困窮するとされている。このような大量の廃棄物の原因になっているものは、日常生活や経済活動で使用され捨てられた膨大な製品の集積であり、膨大な製品は実に大量の資源やエネルギーを使って製作されたものである。大量生産・大量消費・大量廃棄によって私達は深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口が膨大であるだけに世界全体では現在の数倍の規模になる。資源枯渇問題・地球温暖化問題・廃棄物問題は２１世紀以後の近未来に深刻な影響を及ぼす地球規模の課題である。上記これらの諸課題には絶対的限界がある。幾世紀、幾億年かけて生成された森林や土壌や地球独得の資源等が今や人間一生程の短い期間に消費されている。また、これらのこことが将来、政治的・社会的���定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０・２１世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い。でも仕方がない。方向性や必要性の明確になった技術開発は年月がかかれば何とか妥当な答えができるものが多い。やがて世の中の技術のレベルが向上し発展すれば難問が解決される日も来るであろう。現在の地球環境問題にも未来の地球・人類には天体上の諸理由によって起る危機、正に大危機と呼ばれる試練が待ち受けている。過去複数回到来したものは未来も複数回到来するであろう。例えば氷期の到来の課題然り、小惑星の地球衝突の課題然りである。それらは枠外れの厳冬や大地震よりさらにレベルが異る大危機である。以上は相当現在に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。しかし、人類はこれらの大危機も――時には技術開発や実用化が間に合わず大打撃を、受る可能性があるか無いかは現時点では判明できないが――何とか解決して乗り越え生き延びる可能性は残っていると推定される。それは技術開発が目標を持って開発済みの蓄積技術を土台にして、一歩一歩階段を登るようにより困難な課題の技術を解決し克服し高度な技術を手中にする″蓄積・向上する″創造力を備え、手法・機器を人類が持っているからである。
【先行技術文献】
【特許文献】
【特許文献】  ＰＣＴ／ＪＰ２０１０／０５３５７１
【非特許文献】
【非特許文献】  世界統計白書（木本書店）、世界国勢図会（矢野記念会）。
【発明の概要】
【発明が解決しようとする課題】  世界人口は２００９年には６８億人で２０１１年には７０億人の大台にのるとされ増加の一途である。２０５０年には９２億人に拡大すると推計されている。世界人口は図４に示す通り人類の生存維持に障害が無ければ高位推計に示すように直線状に増加するだろう。しかし、中位推計・低位推計が掲載されているのは人類の生存維持に必要な食料・環境・資源・エネルギー等の必需材が不足するからだ。生存に最も重要な食料がすでに相当の不足の徴候が表れている。ＦＡＯの予測では世界の飢餓（栄養不口）の人口は２００９年に史上最悪の１０、２億に膨れ上がり、世界人口の約１／６に達する。この上２０５０年に９２億人に拡大することは、すでに危険水域の２２億増加だからその負担は倍増的な痛みとなる。必需材は食料以外にも環境・資源・エネルギーの不足が目立っている。世界人口増加は今までのように放置型で良いであろうか。多くの打撃・危機・破局が起る事前に方向選択して必需材も損害を最少限にできないであろうか。
【課題を解決するための手段】  世界人口・各国人口は必需材の深刻な不足・枯渇等の限界による深刻な打撃を受け危機到来してから止む得ず人口の強制限少を図るのでは時すでに遅しである。例えば予期せぬ犠性が出ぬとも限らない。必需材は食料不足・環境悪化・資源枯渇・エネルギーの相当な不足等大きな損失・傷跡を残す。図４の中位推計・低位推計はそれらを体験した痛みから人口増加の抑制を図らざるを得なくなったからと推定される。そこでこの課題を解決するための手段はすでに必需材が限界に近い徴候が表われている現在の中から自発的に人口増加の傾向の段階的抑制を図っても無理であろうか。最新技術（スーパーコンピュター・インターネット）の超能力を借りて必需材確保のための人口の制御推計を算出し世界的な表示体で表示し各国・万人の協力を得ることはできないであろうか。
【発明の効果】  人類が生存を維持するためには最低限度必要とされる不可欠のものがある。また、現在の社会に於いて多数の人々が社会の一員として生存するためには社会構造が円滑に機能していくように社会構造が維持されなければならない。例えば大昔の時代に於いては食料と人体の保温に必要な着衣物であり、居住する居住材であり、何よりも食料であった。現在の社会で生存を維持するためにはすでに構築されている社会構造が円滑に機能するように維持するための社会維持材が必要とされる。現在の社会は複雑に構成されているためにそれを維持していくためには衣・食・住以外にも多くの物資が必要とされる。この物資を併せて必要欠くべからざるものを必需材と呼べば、現在の必需材は一体何であろうか。生存維持には食料・環境・資源・エネルギーが必要ではなかろうか。社会が発展し複雑になったがために衣・食・住以外にも環境・資源・エネルギーが適正に維持されねばならない。それらが維持されねば破局や危機が切迫されざるを得ないのである。そこで、現在の状況を率直に反省してみると、食料・環境・資源・エネルギー等の諸点ですでに適正とは言えない状況に至っている。これは大きな問題である。まず、食料は農産物がすでに限界に近い状況に至っている。それは農業機械の発達や化学肥料・農薬等で現在生産しうる量がほぼ頂点に近いところに達している。しかし、異常気象や干抜等があると即座に価格高騰する状況で影響が出てくる。新しく実用化が進んでいる野菜等の工場生産は相当の電力を消費するから限界がある。家畜の育成も飼料が穀物等農産物だから限界がある。環境は地球が有限の宇宙船で地球温暖化は化石燃料の燃焼過多だからすでに限界に近い状況にある。資源は化石燃料のうち石油・天然ガス等が４０〜５０年で枯渇し石炭が２００〜３００年で枯渇するから限界に近い。エネルギーは原子力発電の危険性が明確になっているうえ、化石燃料が枯渇目前だから限界があり、材料資源として非常に重要だから温存されるべきで概に限界を越えている。これら必需材の限界性のうち食料は飢餓人口が２００８年で１０、２億人に膨らんでおり限界を越えており、これは現在の世界人口の約１／６に相当する。食料の不足程切実なものはないから何とか犠性を増大させない努力を必要とする。
世界人口は２０００年には６８億人で２０１１年には７０億人の大台にのるとされ増加の一途である。２０５０年には９２億人に拡大すると推計されている。これは人口がすでに危険水域に於ける２２億人の増加だからその負担は倍増的な痛みとなる。世界人口増加は今までのように放置型でいくしか他にないであろうか。しかし、世界人口は制御型だとしても超多数人の急ブレーキは効かないから１０億人以上の増加は止む得ないであろう。１２億人少いだけでも効果大きい。必需材はすでに限界に達している徴候が表われている。多くの打撃・危機・破局が起る事前に方向選択して予期せぬ不特定の犠性がなるべく最少限にすることはできないだろうか。現在人口増加がマイナス傾向の国は２４カ国しかないとされるが、その好例を参考にすることは１つの手段かと考えられる。また、例えば最新技術（スーパーコンピューター等の電子計算機）で近未来以降の推計を算出しつつ、その推計と、対策会議による議決と、組織的なシステムと、インターネットの表示と、の組み合せで段階的な抑制を図りつつ、漸次改善の方向に向うようにはできないであろうか。必需材の圧倒的な不足による急カーブの抑制は無理が生ずる。何とか徴候が出初めた現在の中から組織的な抑制でも無理であろうか。これらは近未来以降の犠性・破局等を何とか現在のゆるやかな自発的抑制で対処できないかという希望的な期待を込めて打解を図らんとするものである。近未来以降の不幸は現在が放置してから起るのであればそれは何とかして打解を図るべきである。良い方向性が一担設定されればそれに向って制御推計も出せるであろう。組織的なシステムがインターネット等で構成されれば長期的に活用される。本件は研究段階であり未確認であるから効果は推定のみである。
【図面の簡単な説明】
【図１】図１は２０・２１世紀の資源・環境の変化を示す図である。
【図２】図２は養護システムの一実施例を示す図である。
【図３】図３は養護システムの他の実施例を示す図である。
【図４】図４は養護システムの他の実施例の推計等を示す図である。
【図５】図５は養護システムの他の実施例の推計等を示す図である。
【発明を実施するための形能】
人類の生存維持に不可欠な食料・環境・資源・エネルギー等の必需材及び人口の推移が管理局によって推計・管理され、現状が放置されれば早晩該必需材の悪化が起る事前の現在の中から目標を設定して計画的に鋭意改善し、その結果を表示体で世界的に表示してデータ収集・改善・蓄積・向上等の方向性を説定し、諸種の打撃・犠性や近未来以降の深刻な破局・危機を抑制し接続的発展へのシステムの可能性追求の一手段を図るという目的を、最新技術・例えば電子計算機特にスーパーコンピュター及びインターネットを組み合せて両者の超能力を活かして相乗的効果を引出し、かうシステムを構成することで実現の可能性の追求を図らんとした。
【実施例】  図２は本発明養護システムの一実施例を示す図、図３は他の実施例を示す図、図４・図５は他の実施例の推計等を示す図である。また、Ｂ００は養護システム、Ｂ１０は必需管理体、Ｂ１１は電子計算機（スーパーコンピュター）Ｂ１２は推計部、Ｂ１３は管理部、Ｂ１４は必需材、Ｂ２０は人口管理体、Ｂ２１は電子計算機（スーパーコンピュター）、Ｂ２２は推計部、Ｂ２３は管理部、Ｂ３０は表示体、Ｂ３１はインターネット、Ｂ３２は表示部、Ｂ３３は分析改善部、Ｂ４０は管理局である。
管理局Ｂ４０は必需管理体Ｂ１０・人口管理体Ｂ２０・表示体Ｂ３０によって構成されている。必需管理体Ｂ１０は必需材・例えば食料・環境・資源・エネルギー等の電子計算機・特にスーパーコンピュターに必要なデータを全て入力して近未来以降の推計を算出して維持し、必需材の持続的活用を図るものである。必需材Ｂ１４は現在の人類が生存を維持するうえで必要かつ欠くべからざるものである。しかし、食料は飢餓人口が１０、２億人（２００８年）と限界をを越え、環境は地球温暖化等で限界寸前で、資源は化石燃料等が枯渇寸前である。化石燃料は地球しかない非常に貴重な材料資源で未来の人類にとっても不可欠であるが枯渇寸前となっている。
人口管理機Ｂ２０はその科学的な出力で各国の目標値が設定されるから、各産業人口推移、と合わせた活動が望まれ規模等が検討されるべきである。各産業等組織のあり方は万人や家庭への影響が大きいから人口管理機Ｂ２０の出力を参考にする。
【産業上の利用可能性】（イ）  必需管理機は非需材が全ての産業の維持発展のために非常に重要であるから、世界人口との係りのみに限定されることなく永続的な目標が設定されて対応が図られるべきである。例えば農産物は化学肥料・農薬が化石燃料か製造されるから限界はある。野菜等の工場生産は相当の電力を消費するから限界がある。家畜の育成も飼料が穀物等農産物だから限界がある。環境は地球が有限の宇宙船で地球温暖化は化石燃料の燃焼過多だからすでに限界に近い状況にある。資源は化石燃料のうち石油・天然ガス等が４０〜５０年で枯渇し石炭が２００〜３００年で枯渇するから限界に近い。エネルギーは原子力発電の危険性が明確になっているうえ、化石燃料が枯渇目前だから限界があり、材料資源として非常に重要だから温存されるべきで概に限界を越えている。これら必需材の限界性・超重要性から必需管理機の出力に沿った産業が活動が望まれその基盤となる。
（ロ）  人口管理機はその科学的な出力で各国の目標値が設定されるから、各産業人口推移と合わせた活動が望まれ規模等が検討されるべきである。各産業等組織のあり方は万人や家庭への影響が大きいから人口管理機の出力を参考にしつつ改善の方向に向うべきである。進行の方向性が正しけれは産業は持続する。
【符号の説明】Ｂ００‥‥養護システム、Ｂ１０‥‥必需管理体、Ｂ１１‥‥電子計算機、Ｂ１２‥‥推計部、Ｂ１３‥‥管理部、Ｂ２０‥‥人口管理体、Ｂ２１‥‥電子計算機、Ｂ２２‥‥推計部、Ｂ２３‥‥管理部、Ｂ３０‥‥表示体、Ｂ３１‥‥インターネット、Ｂ３２‥‥表示部、Ｂ３３‥‥分析改善部。
［受託番号］
［配列表フリーテキスト］
［配列表］
明細書            ［発明の名称］        ［技術分野］
［先行技術文献］    ［発明の概要］        ［図面の簡単な説明］
［発明を実施するための形能］              ［産業上の利用可能性］
［符号の説明］      ［受託番号］          ［配列表フリーテキスト］
［配列表］          特許請求の範囲        要約書              図面
【図１】
2013041561.tif 000002
【図２】
2013041561.tif 000003
【図３】
2013041561.tif 000004
【図４】
2013041561.tif 000005
【図５】
2013041561.tif 000006